(57)【特許請求の範囲】
【請求項１】
情報処理装置のキースイッチ部に、表面側または裏面側のいずれか一方の面を上に向けて装着することにより、制御機能の異なるキー入力を行うことのできるリバーシブルキーボードであって、
前記キースイッチ部を押し下げするキートップ部と、このキートップ部を収納保持する開口部を有するキーキャビネットとからなり、
前記開口部は、キーキャビネットの表面側及び裏面側に貫通して形成されており、この開口部に、表面側に突出する表面側キートップ部と裏面側に突出する裏面側キートップ部とが上下動可能に収納保持されていることを特徴とするリバーシブルキーボード。
【請求項２】
前記表面側キートップ部と裏面側キートップ部とが一体的に形成されていることを特徴とする請求項１に記載のリバーシブルキーボード。
【請求項３】
前記表面側キートップ部と裏面側キートップ部とが個別に形成されていることを特徴とする請求項１に記載のリバーシブルキーボード。
【請求項４】
前記表面側キートップ部と裏面側キートップ部の外観が異なることを特徴とする請求項１ないし請求項３のいずれかに記載のリバーシブルキーボード。
【請求項５】
前記表面側キートップ部と裏面側キートップ部とは、形状、寸法または外観色の少なくともいずれか１つ以上が異なっていることを特徴とする請求項４に記載のリバーシブルキーボード。
【請求項６】
請求項１ないし請求項５のいずれかに記載のリバーシブルキーボードが、キースイッチ部に着脱可能に設けられた情報処理装置であって、
前記リバーシブルキーボードの装着の有無を検出する第１検出手段と、
前記リバーシブルキーボードのどちらの面を上に向けて装着されたかを検出する第２検出手段と、
前記第２検出手段の検出結果に基づき、装着されたリバーシブルキーボードの装着方向に応じてキー入力による制御機能を切り替えるキー入力制御手段とを備えたことを特徴とする情報処理装置。
【請求項７】
前記第１検出手段及び第２検出手段が、プッシュスイッチまたはキースイッチであることを特徴とする請求項６に記載の情報処理装置。
【請求項８】
前記リバーシブルキーボードを２種類以上有するとともに、これらリバーシブルキーボードの種類を検出する第３検出手段を備え、
前記キー入力制御手段は、前記第２検出手段及び第３検出手段の検出結果に基づき、装着されたリバーシブルキーボードの種類と装着方向とに応じてキー入力による制御機能を切り替えることを特徴とする請求項６または請求項７に記載の情報処理装置。
【請求項９】
前記第３検出手段が、プッシュスイッチまたはキースイッチであることを特徴とする請求項８に記載の情報処理装置。
【請求項１０】
キースイッチ部に装着されたリバーシブルキーボードをロックするロック機構部が装置本体に設けられていることを特徴とする請求項６または請求項７に記載の情報処理装置。
【請求項１１】
リバーシブルキーボードのロックを解除する解除ボタンが前記ロック機構部に設けられていることを特徴とする請求項１０に記載の情報処理装置。
【請求項１２】
前記解除ボタンが装置本体の裏面側に設けられており、かつ、装置本体の裏面側に装着された蓋体によって被覆されていることを特徴とする請求項１１に記載の情報処理装置。
【請求項１３】
前記蓋体が装置本体から取り外された場合に電源をオフする電源オフ制御手段を備えたことを特徴とする請求項１２に記載の情報処理装置。
【請求項１４】
前記リバーシブルキーボードが前記キースイッチ部から取り外された場合に電源をオフする電源オフ制御手段を備えたことを特徴とする請求項６ないし請求項１２のいずれかに記載の情報処理装置。
【発明の詳細な説明】
【０００１】
【発明の属する技術分野】
本発明は、着脱可能なキーユニットの表面と裏面とを使い分けることにより、機能を拡張することを可能としたリバーシブルキーボード及びこのリバーシブルキーボードを備えた情報処理装置に関する。
【０００２】
【従来の技術】
従来より、キーボードの両面にキートップ部を設け、キーボードの上下を入れ換えて装置本体に装着することにより、キー機能の拡張を図った情報処理装置が提案されている。
【０００３】
しかしながら、このような情報処理装置は、キーボードの内部に基板等の電気的構成を備える必要があるため、キーボード自体が回路的に複雑、かつ大型化し、コスト的にも安価に提供できないといった問題があった。
【０００４】
一方、このような基板等の電気的構成を備えることなく、キースイッチ部とキートップ部とを分離する構造のものも提案されている。
【０００５】
例えば、特開平６−１８９３８３号公報に記載のものは、ワイヤレスリモコンであって、複数の扉のうちから自分が最も頻繁に使用すると思われる機能の操作釦が付いている扉を選び出し、これを本体側のヒンジ部に取り付ける。そして、この扉を閉めると、扉の裏面に設けられている凸部が、操作面上の複数の押圧スイッチのいずれかを押し付け、この押圧スイッチのスイッチ状態の変化の検出により、扉が閉じられた状態になったことを判別する。この状態で利用者が扉表面の操作釦を押すと、その真下に位置する本体の操作面上の操作釦が押されるが、このとき制御回路は、本体操作面側に表示されている機能ではなく、扉表面側に表示されている機能について制御を行う構成となっている。
【０００６】
また、特開２０００−８７４１５号公報に記載のものは、人体局部洗浄装置であって、便座の側方に袖部が配設されており、この袖部に操作装置が配設されている。この操作装置は、操作スイッチと操作スイッチを覆う着脱可能な蓋とからなり、蓋表面に押釦が配設され、押釦の押圧操作に機械的に連動して操作スイッチが押圧される構成となっている。
【０００７】
また、特開２０００−２６７７９５号公報に記載のものは、携帯用電子機器であって、操作スイッチを有する機器本体と、操作スイッチを押圧する操作ボタンを有し、機器本体に回動自在に装着される操作パネルとを備え、操作パネルを機器本体から着脱自在にするとともに、別の操作パネルと取り替え可能とする。そして、複数種類の操作パネルを用意しておき、操作ボタンの形状等が異なる操作パネルを選択して機器本体に装着することで、利用者の嗜好を満足させるとともに、操作性の向上を図っている。
【０００８】
【発明が解決しようとする課題】
しかしながら、上記公報に記載の従来技術は、いずれも操作パネルの差し替えを前提に創案されたものであり、操作パネル単体としては１種類のみである。また、操作パネルの裏面を別の操作パネルとして利用するといった発想も全くない。
【０００９】
本発明はかかる点に着目して創案されたもので、その目的は、情報処理装置のキースイッチ部に、表面側または裏面側のいずれか一方の面を上に向けて装着することにより、制御機能の異なるキー入力を行うことのできるリバーシブルキーボード及びこのリバーシブルキーボードを備えた情報処理装置を提供することにある。
【００１０】
【課題を解決するための手段】
本発明のリバーシブルキーボードは、情報処理装置のキースイッチ部に、表面側または裏面側のいずれか一方の面を上に向けて装着することにより、制御機能の異なるキー入力を行うことのできるリバーシブルキーボードであって、前記キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持されていることを特徴とする。
【００１１】
このような特徴を有する本発明によれば、内部に電気的な構成を持たない簡単な構造によって、表裏両面に異なるキー機能を搭載したリバーシブルキーボードを実現することができる。また、構造が簡易であるため、小型軽量化、製造原価の低減を図ることができる。
【００１２】
この場合、表面側キートップ部と裏面側キートップ部とは、樹脂等により一体的に形成されて開口部に収納保持されていてもよい。また、個別に形成されていてもよい。この場合には、表面側キートップ部の下面と裏面側キートップ部の下面とを合わせるようにし、この合わせ部分を開口部に収納保持すればよい。
【００１３】
また、表面側キートップ部と裏面側キートップ部とは、その外観が異なるように形成してもよい。例えば、形状、寸法または外観色の少なくともいずれか１つ以上が異なるように形成する。このように表面側キートップ部と裏面側キートップ部とで外観を異ならせることにより、リバーシブルキーボードのどちらの面を上にして装着されているかが容易に分かるので、人為的な操作ミスを低減することができる。
【００１４】
また、本発明の情報処理装置は、上記各構成のリバーシブルキーボードが、キースイッチ部に着脱可能に設けられた情報処理装置であって、前記リバーシブルキーボードの装着の有無を検出する第１検出手段と、前記リバーシブルキーボードのどちらの面を上に向けて装着されたかを検出する第２検出手段と、前記第２検出手段の検出結果に基づき、装着されたリバーシブルキーボードの装着方向に応じてキー入力による制御機能を切り替えるキー入力制御手段とを備えたことを特徴とする。
【００１５】
このような特徴を有する本発明によれば、第１検出手段によってリバーシブルキーボードが装着されたことを検出し、第２検出手段によって例えば表面側を上に向けて装着されたことを検出した場合には、キー入力制御手段は、キー入力の機能を、表面側のキー入力機能に切り替えてキー入力制御を行う。また、第１検出手段によってリバーシブルキーボードが装着されたことを検出し、第２検出手段によって裏面側を上に向けて装着されたことを検出した場合には、キー入力制御手段は、キー入力の機能を、裏面側のキー入力機能に切り替えてキー入力制御を行う。
【００１６】
この場合、第１検出手段及び第２検出手段としては、プッシュスイッチまたはキースイッチを用いることが可能である。すなわち、これらスイッチのオン、オフ状態によって、リバーシブルキーボードの装着の有無や装着面を検出することができる。
【００１７】
また、本発明の情報処理装置によれば、このようなリバーシブルキーボードを２種類以上用意するとともに、これらリバーシブルキーボードの種類を検出する第３検出手段を備え、前記キー入力制御手段は、第２検出手段及び第３検出手段の検出結果に基づき、装着されたリバーシブルキーボードの種類と装着方向とに応じてキー入力による制御機能を切り替えることを特徴とする。
【００１８】
このように、リバーシブルキーボードを複数用意することで、より多様なキー入力制御を行うことが可能となる。
【００１９】
この場合、第３検出手段も、プッシュスイッチまたはキースイッチを用いることが可能である。すなわち、このスイッチのオン、オフ状態によって、リバーシブルキーボードの種類を検出することができる。
【００２０】
また、キースイッチ部に装着されたリバーシブルキーボードをロックするロック機構部が装置本体に設けられているとともに、リバーシブルキーボードのロックを解除する解除ボタンがロック機構部に設けられていることを特徴とする。
【００２１】
このように、ロック機構部を設けることによって、キーボードを操作中に、リバーシブルキーボードが装置本体から不測に外れるといった事態を確実に防止することができる。また、リバーシブルキーボードの操作面を入れ替える場合には、解除ボタンを操作することによってロックを解除することができる。
【００２２】
この解除ボタンは、装置本体の裏面側に設けられており、かつ、装置本体の裏面側に装着された蓋体によって被覆されている。これにより、キーボードを操作中に、誤って解除ボタンに触れる心配がないので、リバーシブルキーボードが装置本体から不測に外れてしまうといった事態も発生しない。
【００２３】
また、本発明の情報処理装置は、蓋体が装置本体から取り外された場合に電源をオフする電源オフ制御手段を備えている。または、リバーシブルキーボードがキースイッチ部から取り外された場合に電源をオフする電源オフ制御手段を備えている。
【００２４】
これにより、リバーシブルキーボードを着脱するときに、フリーズ状態等の異常な状態を引き起こさず、安全にリバーシブルキーボードの着脱や電池の交換等を行うことができる。
【００２５】
【発明の実施の形態】
以下、本発明の実施の形態について、図面を参照して説明する。
【００２６】
［実施の形態１］
図１ないし図３は、本発明に係わるリバーシブルキーボードを備えた情報処理装置の実施の形態１を示しており、図１はリバーシブルキーボードを取り外した状態の情報処理装置の外観斜視図、図２はリバーシブルキーボードを装着した状態の情報処理装置の外観斜視図、図３はリバーシブルキーボードを取り外した状態の平面図である。本実施の形態１では、情報処理装置としてグラフィック関数電卓に適用した例を示している。ただし、図１及び図３には、取り外した状態のリバーシブルキーボードが、表面側を上に向けた状態と、裏面側を上に向けた状態の２つの状態で示されている。
【００２７】
装置本体１の上面には、その上部に液晶パネル等からなる表示部２が設けられており、その下部にキー入力部３が設けられている。
【００２８】
キー入力部３は、装置本体１の上面に固定的に配置された関数キー３１及びカーソルキー３２と、キーボード部分を取り除いた状態のキーゴム（請求項に記載のキースイッチ部）３３とからなる。
【００２９】
キーゴム３３は、装置本体１の上面に矩形状に形成されたキーボード装着用凹部１１の底面に配置されており、このキーボード装着用凹部１１に装着されるリバーシブルキーボード５と連携して動作する。すなわち、リバーシブルキーボード５は、キーゴム３３の上に重ね合わせて装着される（図２参照）。
【００３０】
図４は、図３に示す装置本体１のＡ−Ａ線概略断面図である。
【００３１】
キーゴム３３は、装置本体１の上キャビネット１ａに設けられており、その下面には、各キー位置に導電部３３ａが設けられている。また、キーゴム３３の下部には、そのキー位置に対向してキーパターン２１ａが形成されたキー基板２１が設けられており、このキー基板２１の下部に、下キャビネット１ｂと一体に形成された左右一対の電池収納部２２，２２が設けられている。また、電池収納部２２，２２を被覆するための電池蓋２３が、下キャビネット１ｂに着脱可能に取り付けられるようになっている。
【００３２】
図５は、図３に示すリバーシブルキーボード５のＢ−Ｂ線概略断面図である。
【００３３】
リバーシブルキーボード５は、キーゴム３３を押し下げする表面側のキートップ部５１ａ，５１ａ・・・及び裏面側のキートップ部５１ｂ，５１ｂ・・・と、表面側のキートップ部５１ａ，５１ａ・・・をそれぞれ収納保持する表面側の開口部５３ａ，５３ａ・・・を有する表面側のキーキャビネット５２ａ及び裏面側のキートップ部５１ｂ，５１ｂ・・・をそれぞれ収納保持する裏面側の開口部５３ｂ，５３ｂ・・・を有する裏面側のキーキャビネット５２ｂとからなる。
【００３４】
そして、表面側のキーキャビネット５２ａの開口部５３ａに表面側のキートップ部５１ａを挿入し、裏面側のキーキャビネット５２ｂの開口部５３ｂに裏面側のキートップ部５１ｂを挿入して、両キーキャビネット５２ａ，５２ｂを接合することにより、対向するキートップ部５１ａ，５１ｂが、両キーキャビネット５２ａ，５２ｂ内で上下動可能に収納保持されている。
【００３５】
キートップ部５１ａ，５１ｂには、その下部周辺にリング状のつば部５４が形成されており、このつば部５４が開口部５３ａ，５３ｂの内部周辺に当接することで、キートップ部５１ａ，５１ｂがキーキャビネット５２ａ，５２ｂから脱落しないようになっている。なお、キートップ部５１ａ，５１ｂの形状や構造については、種々の形態が考えられるが、これについては後述する。
【００３６】
また、キーキャビネット５２ａ，５２ｂは、その内面側であって、開口部５３ａ，５３ｂの周辺部に、リブ片５５が突設されている。このリブ片５５が一方のキーキャビネット５２ａから突設されている場合には、他方のキーキャビネット５２ｂの対向部分に凹部５６が形成されており、両キーキャビネット５２ａ，５２ｂを接合したときには、リブ片５５の先端が対向する凹部５６に嵌まり込み、両キーキャビネット５２ａ，５２ｂが安定的に接合されるようになっている。
【００３７】
このような構成のリバーシブルキーボード５の前端面５ａには、第１検出突起部５７と第２検出突起部５８とが設けられており、後端面５ｂには、ロック用凹部５９が設けられている。
【００３８】
第１検出突起部５７は、リバーシブルキーボード５がキーボード装着用凹部１１に装着されたか否かを検出するための突起部であり、前端面５ａの左右方向の中央部に設けられている。また、第２検出突起部５８は、リバーシブルキーボード５の表面側または裏面側のいずれの面を上に向けて装着されたかを検出するための突起部であり、前端面５ａの左側または右側のいずれか一方の側に設けられている。なお、装着の有無の検出及び装着状態（すなわち、装着面のことで以降同様）の検出については後述する。
【００３９】
また、ロック用凹部５９は、リバーシブルキーボード５がキーボード装着用凹部１１に装着されたとき、その装着状態を固定するために用いられる凹部であり、後述するロック機構部６のロック用爪部６２が挿入、係止されるようになっている。
【００４０】
一方、装置本体１のキーボード装着用凹部１１には、図１に示すように、リバーシブルキーボード５の前端面５ａに対向する前端面１１ａに、リバーシブルキーボード５に設けられた第１検出突起部５７が挿入される第１開口部１２と、第２検出突起部５８が挿入される第２開口部１３及び第３開口部１４とが形成されている。そして、第１開口部１２内に第１検出スイッチ１５が設けられ、第２開口部１３内に第２検出スイッチ１６が設けられている。また、第３開口部１４内にはスイッチは設けられていない。すなわち、第１検出スイッチ１５は、前端面１１ａの左右方向の中央部に設けられており、第２検出スイッチ１６は、本実施の形態では、前端面１１ａの右側端部に設けられている。
【００４１】
そして、第１検出スイッチ１５とリバーシブルキーボード５の第１検出突起部５７とが、リバーシブルキーボード５の装着の有無を検出するために使用され、第２検出スイッチ１６とリバーシブルキーボード５の第２検出突起部５８とが、リバーシブルキーボード５の装着状態の検出のために使用される。
【００４２】
すなわち、第１検出スイッチ１５と第１検出突起部５７とは、いずれも左右方向の中央部に設けられていることから、リバーシブルキーボード５をキーボード装着用凹部１１に装着するとき、リバーシブルキーボード５の表面側が上であっても、裏面側が上であっても、第１検出突起部５７が第１検出スイッチ１５を押し込んでオン状態とする。これにより、リバーシブルキーボード５がキーボード装着用凹部１１に装着されたことを常に検出することが可能となる。
【００４３】
一方、第２検出スイッチ１６と第２検出突起部５８とは、左右方向の一方の側にのみ設けられている。そのため、リバーシブルキーボード５をキーボード装着用凹部１１に装着するとき、例えばリバーシブルキーボード５の表面側が上である場合には、第２検出突起部５８がキーボード装着用凹部１１の前端面１１ａの左側に位置して、第３開口部１４に挿入され、第２検出スイッチ１６はオフ状態のままである。一方、リバーシブルキーボード５の裏面側が上である場合には、第２検出突起部５８がキーボード装着用凹部１１の前端面１１ａの右側に位置して、第２開口部１３に挿入され、第２検出スイッチ１６はオン状態となる。
【００４４】
従って、この第２検出スイッチ１６のオン、オフ状態によって、リバーシブルキーボード５の装着状態を検出することができる。すなわち、第１検出スイッチ１５がオン状態であって、かつ、第２検出スイッチ１６がオフ状態のとき、リバーシブルキーボード５が表面側を上にしてキーボード装着用凹部１１に装着されていることになり、第１検出スイッチ１５がオン状態であって、かつ、第２検出スイッチ１６がオン状態のとき、リバーシブルキーボード５が裏面側を上にしてキーボード装着用凹部１１に装着されていることになる。
【００４５】
図６ないし図９は、ロック機構部６の構造を示しており、図６はキーボード装着用凹部１１を一部拡大した平面図、図７は同底面図、図８は図６のＣ−Ｃ線概略断面図、図９（ａ），（ｂ）は図６のＤ−Ｄ線概略断面図である。
【００４６】
ロック機構部６は、装置本体１のキーボード装着用凹部１１の下部であって、電池収納部２２，２２の間に設けられている。
【００４７】
すなわち、ロック機構部６は、電池収納部２２，２２の間にロック本体部６１が設けられている。このロック本体部６１は、左右の電池収納部２２，２２に挟持される形で、前後方向（図９中、Ｘ１，Ｘ２方向）に摺動可能に設けられている。そして、このロック本体部６１の後部側上面６１ａに、上方に起立した一対のロック用爪６２，６２が形成されている。
【００４８】
また、ロック本体部６１の後端面６１ｂには、スプリング用凹部６３が形成されており、このスプリング用凹部６３と対向する装置本体１の上キャビネット１ａにも、同様にスプリング用凹部１ａ１が形成されている。そして、これらスプリング用凹部６３，１ａ１の間に、スプリング６５が装着されている。
【００４９】
また、ロック本体部６１の底面６１ｃには、下方に突出したロック解除用ノブ６４（ロック解除機能を備えた請求項に記載の解除ボタン）が形成されている。ロック解除用ノブ６４は、図７に示すように、装置本体１の下キャビネット１ｂに形成された長方形状の長穴１ｂ１に嵌め込まれた状態で下キャビネット１ｂの下方に露出しており、この長穴１ｂ１内で、前後方向（Ｘ１，Ｘ２方向）に摺動可能となっている。つまり、この長穴１ｂ１によって、前後方向の摺動範囲が規制されるようになっている。ただし、ロック解除用ノブ６４は、下キャビネット１ｂの下面からは突出しないように設けられており、電池蓋２３を開けた状態でも、指等が不測に当たってロックが解除されることのないように考慮されている。
【００５０】
このような構成のロック機構部６によれば、リバーシブルキーボード５が装着されていない状態では、図９（ａ）に示すように、スプリング６５の弾発力によってロック本体部６１がＸ２方向に付勢されており、ロック解除用ノブ６４が、長穴１ｂ１の前方側端部１ｂ１１に当接している。また、ロック用爪６２は、キーボード装着用凹部１１の後端面１１ｂから若干突出した状態となっている。
【００５１】
なお、リバーシブルキーボード５がキーボード装着用凹部１１に装着された状態においても、図１４に示すように、ロック解除用ノブ６４の位置は、リバーシブルキーボード５が装着されていない状態と同じ位置となる。
【００５２】
一方、この状態で、下キャビネット１ｂから露出しているロック解除用ノブ６４を、スプリング６５の弾発力に対抗して後方側（Ｘ１方向）に摺動させると、図９（ｂ）に示すように、キーボード装着用凹部１１の後端面１１ｂから若干突出していたロック用爪６２が、キーボード装着用凹部１１の後端面１１ｂより、上キャビネット１ａ内に退没する。
【００５３】
図１０ないし図１４は、上記構成のリバーシブルキーボード５を、上記構成のキーボード装着用凹部１１に装着するときの動作を示している。
【００５４】
まず最初に、図１０に示すように、リバーシブルキーボード５の中央部の第１検出突起部５７と、キーボード装着用凹部１１の第１開口部１２との位置を合わせるとともに、リバーシブルキーボード５の第２検出突起部５８とキーボード装着用凹部１１の第２開口部１３または第３開口部１４のいずれかと位置合わせを行う。つまり、リバーシブルキーボード５の表面側を上にして装着する場合には、図１に示すように、リバーシブルキーボード５の第２検出突起部５８を第３開口部１４に位置合わせし、リバーシブルキーボード５の裏面側を上にして装着する場合には、リバーシブルキーボード５の第２検出突起部５８を第２開口部１３に位置合わせする。
【００５５】
次に、この状態で、図１１に示すように、リバーシブルキーボード５の各検出突起部５７，５８を対向する開口部１２，１３（または１４）に挿入し、リバーシブルキーボード５の後端面５ｂ側を、キーボード装着用凹部１１の後端面１１ｂ側に押し込む。
【００５６】
これにより、図１２に示すように、リバーシブルキーボード５の後端面５ｂがキーボード装着用凹部１１の後端面１１ｂに沿ってキーボード装着用凹部１１内に挿入され、その挿入過程で、リバーシブルキーボード５の後端面５ｂの角部が、ロック用爪６２を押圧して、ロック用爪６２を後方側（Ｘ１方向）に押し込み、ロック本体部６１全体が、後方側（Ｘ１方向）に摺動する。
【００５７】
そして、図１３に示すように、リバーシブルキーボード５がキーボード装着用凹部１１内に完全に嵌め込まれると、後方側に押し込まれていたロック用爪６２が、スプリング６５の弾発力によって、リバーシブルキーボード５の後端面５ｂに形成されたロック用凹部５９に嵌まり込む。これにより、キーボード装着用凹部１１に装着されたリバーシブルキーボード５を、キーボード装着用凹部１１内に固定することができる。図１４は、リバーシブルキーボード５がキーボード装着用凹部１１に装着されたときの、ロック用爪６２とロック用凹部５９との係合状態を拡大して示している。
【００５８】
また、図１４では、キーボード装着用凹部１１に装着されたリバーシブルキーボード５の左側のキートップ部５１ａが、キー入力を行うために押し下げられた状態となっており、導電部３３ａとキーパターン２１ａとが接触して導通し、スイッチが入っている状態となっている。これにより、押し下げされている左側のキートップ部５１ａに表記されている機能が動作する。
【００５９】
図１５ないし図１８は、装置本体１及びリバーシブルキーボード５の他の実施例を示しており、具体的には、キーボード装着用凹部１１に設けられる第１検出スイッチ１５ａ及び第２検出スイッチ１６ａの他の実施例を示している。図１５はリバーシブルキーボード５を取り外した状態の情報処理装置の外観斜視図、図１６は図１５に示すＥ−Ｅ線概略断面図、図１７はリバーシブルキーボード５を表面側を上に向けて装着した状態を示す概略断面図、図１８はリバーシブルキーボード５を裏面側を上に向けて装着した状態を示す概略断面図である。
【００６０】
すなわち、本実施例では、第１検出スイッチ（ゴムキー）１５ａ及び第２検出スイッチ（ゴムキー）１６ａがキーボード装着用凹部１１の底面１１ｃに配置され、キーゴム３３より上方に突出して設けられている。一方、リバーシブルキーボード５の表面側のキーキャビネット５２ａには、リバーシブルキーボード５を裏面側を上に向けてキーボード装着用凹部１１に装着したとき、第２検出スイッチ１６ａに対向する箇所に検出用凹部５２ａ１が設けられた構成となっている。
【００６１】
すなわち、リバーシブルキーボード５をキーボード装着用凹部１１に装着するとき、図１７及び図１８に示すように、リバーシブルキーボード５の表面側が上であっても、裏面側が上であっても、キーキャビネット５２ａ，５２ｂによって第１検出スイッチ１５ａが押し込まれ、第１検出スイッチ１５ａはオン状態となる。これにより、リバーシブルキーボード５がキーボード装着用凹部１１に装着されたことを常に検出することが可能となる。
【００６２】
一方、リバーシブルキーボード５をキーボード装着用凹部１１に装着するとき、例えばリバーシブルキーボード５の表面側が上である場合には、図１７に示すように、裏面側のキーキャビネット５２ｂによって第２検出スイッチ１６ａが押し込まれ、第２検出スイッチ１６ａはオン状態となる。一方、リバーシブルキーボード５の裏面側が上である場合には、図１８に示すように、表面側のキーキャビネット５２ａの検出用凹部５２ａ１に第２検出スイッチ１６ａが嵌まり込み、第２検出スイッチ１６ａはオフ状態のままである。
【００６３】
従って、この第２検出スイッチ１６ａのオン、オフ状態によって、リバーシブルキーボード５の装着状態を検出することができる。すなわち、第１検出スイッチ１５ａがオン状態であって、かつ、第２検出スイッチ１６ａがオン状態のとき、リバーシブルキーボード５が表面側を上にしてキーボード装着用凹部１１に装着されていることになり、第１検出スイッチ１５ａがオン状態であって、かつ、第２検出スイッチ１６ａがオフ状態のとき、リバーシブルキーボード５が裏面側を上にしてキーボード装着用凹部１１に装着されていることになる。
【００６４】
なお、本実施例の第２検出スイッチ１６ａと、上記実施例（図１等）の第２検出スイッチ１６とは、検出時のオン、オフ状態が逆になる構成として説明しているが、本実施例においても、検出用凹部５２ａ１をリバーシブルキーボード５の裏面側のキーキャビネット５２ｂに設けることによって、上記実施例（図１等）の第２検出スイッチ１６と同じオン、オフ状態で、リバーシブルキーボード５の装着状態を検出することができる。
【００６５】
図１９及び図２０は、操作者の誤操作を防止し、かつ安全に配慮した工夫を示す説明図であり、図１９は電池蓋２３を取り外した状態の装置本体１の底面図、図２０（ａ）は図１９のＦ−Ｆ線概略断面図、同図（ｂ）は電池蓋２３を装着した状態の概略断面図である。
【００６６】
本実施の形態の情報処理装置は、図２０（ｂ）に示すように、通常は、ロック解除用ノブ６４を電池蓋２３で覆う構造となっている。これにより、操作者の誤操作等によってリバーシブルキーボード５が不測に外れてしまうことを防止している。
【００６７】
そして、これとは別に、キー基板２１に電池蓋検出スイッチ２５が取り付けられており、この電池蓋検出スイッチ２５の可動部分２５ａが下キャビネット１ｂに形成された開口部１ｂ２から若干突出して設けられている。一方、電池蓋２３の裏面２３ａには、電池蓋２３を下キャビネット１ｂに装着したとき、電池蓋検出スイッチ２５の可動部分２５ａに対向する箇所に、電池蓋突起部２３ａ１が設けられている。
【００６８】
これにより、電池蓋検出スイッチ２５は、電池蓋２３が取り外されている場合にはオフ状態（図２０（ａ）参照）となり、電池蓋２３が下キャビネット１ｂに装着されている場合にはオン状態（図２０（ｂ）参照）となる。そして、この電池蓋検出スイッチ２５のオン、オフ状態により、後述する内部回路の電源をオン、オフする構成としている。
【００６９】
すなわち、電池蓋２３が下キャビネット１ｂに装着されており、電池蓋検出スイッチ２５がオン状態の場合に電源をオンとして内部回路に電流を供給し、電池蓋２３が下キャビネット１ｂから取り外されて、電池蓋検出スイッチ２５がオフ状態となったとき、電源をオフとして内部回路に電流を供給しないように構成している。この機構により、電池蓋２３を装着した状態でないと、情報処理装置が動作せず、安全性に配慮した構造となっている。
【００７０】
なお、この例では電池蓋２３の開閉を検知して電源のオン、オフを行っているが、ロック解除用ノブ６４の摺動を検知して電源のオン、オフを行うように構成することが可能である。例えば、図２１に示すように、上記の電池蓋検出スイッチ２５の代わりに、ロック本体部６１の近傍にノブ検出スイッチ２６を設けておく。そして、ロック解除用ノブ６４が、図中Ｘ１方向に摺動することによって、ノブ検出スイッチ２６がオン状態となるように配置する。これにより、ロック解除用ノブ６４を図中Ｘ１方向に摺動して、リバーシブルキーボード５の固定を解除すると、ノブ検出スイッチ２６がオン状態となって電源をオフし、内部回路に電流を供給しないように構成すればよい。
【００７１】
図２２は、リバーシブルキーボード５のキートップ部５１ａ，５１ｂの他の実施例を示している。すなわち、図５に示したキートップ部５１ａ，５１ｂは、それぞれ別体として形成されて、両キーキャビネット５２ａ，５２ｂ内に収納保持されているが、本実施例では、表面側のキートップ５１ａと裏面側のキートップ部５１ｂとが、例えば合成樹脂等によって一体成型されることにより、一体的に形成されたものである。これにより、両キートップ部５１ａ，５１ｂは一体となって、両キーキャビネット５２ａ，５２ｂ間を上下動することになり、キーを操作するときのがたつきを無くすことができる。
【００７２】
また、図２３及び図２４は、リバーシブルキーボード５のキートップ部５１ａ，５１ｂのさらに他の実施例を示している。すなわち、図５に示した別体のキートップ部５１ａ，５１ｂを、互いに嵌合することによって一体としたものである。
【００７３】
すなわち、例えば表面側のキートップ部５１ａの内面中央部に、底面開口部より若干下方に突出した直方体形状の嵌合突起部５１ａ１を形成し、裏面側のキートップ部５１ｂの内面中央部に、底面開口部側に向かって開口する嵌合凹部５１ｂ１を形成する。この嵌合凹部５１ｂ１の開口形状は、嵌合突起部５１ａ１が嵌まり込む形状とする。そして、両キートップ部５１ａ，５１ｂの底面開口部同士、すなわち両つば部５４，５４同士を合わせるようにして、両キートップ部５１ａ，５１ｂを両側から挟み込むように押圧すると、嵌合突起部５１ａ１が嵌合凹部５１ｂ１に強制嵌合される。これにより、両キートップ部５１ａ，５１ｂは一体となって、両キーキャビネット５２ａ，５２ｂ間を上下動することになり、キーを操作するときのがたつきを無くすことができる。
【００７４】
また、図２５及び図２６は、図２３に示すキートップ部５１ａ，５１ｂの変形例を示しており、図２５は、リバーシブルキーボード５の表面側を上に向けた状態、図２６は、リバーシブルキーボード５の裏面側を上に向けた状態を示している。
【００７５】
すなわち、この例では、裏面側のキートップ部５１ｂの外径寸法Ｚを、表面側のキートップ部５１ａの外径寸法Ｙより、小さく形成している。また、これに対応して、裏面側のキーキャビネット５２ｂに形成される開口部５３ｂの内径寸法も、表面側のキーキャビネット５２ａに形成される開口部５３ａの内径寸法より小さく形成している。
【００７６】
また、キートップ部５１ａ，５１ｂの外径寸法や内径寸法を表面側と裏面側とで異ならせるだけでなく、その外観形状自体も異ならせることができる。例えば、表面側のキートップ部５１ａを長方形、裏面側のキートップ部５１ｂを楕円形等とすることができる。この他にも、円形、三角形、菱形、六角形、星型等、種々の形状とすることができる。
【００７７】
また、キートップ部５１ａ，５１ｂが個別に形成されていることで、キー自体の色も異ならせることができる。このように、キートップ部の外観形状や寸法、色等を種々異ならせることで、操作者に、リバーシブルキーボード５のどちら側の面を上に向けてキーボード装着用凹部１１に装着しているのかを明確に認識させることができる。これにより、操作者の誤操作を確実に防止することができる。
【００７８】
さらに、キートップ部５１ａ，５１ｂの外観（寸法、形状、色等）を表面側と裏面側とで異ならせるだけでなく、同じ面側においても異ならせることができる。図２７は、表面側を上に向けて装着されたリバーシブルキーボード５において、その上部側に配置された関数キー（符号５１１により示す）であるキートップ部５１ａを寸法の小さい長方形状とし、下部側に配置されたテンキー（符号５１２により示す）であるキートップ部５１ａを寸法の大きな長方形状とした例である。また、図２８は、裏面側を上に向けて装着されたリバーシブルキーボード５において、その上部側の関数キー（符号５１３により示す）キートップ部５１ｂを小さな円形状とし、下部側のキートップ部５１ｂを大きな長方形状としたものである。
【００７９】
図２９は、このようなリバーシブルキーボード５の各キートップ部５１ａ，５１ｂにキー文字を記入した具体例を示している。
【００８０】
このリバーシブルキーボード５は、関数計算を行う際のキーボタンのレイアウトの文字例となっており、図２９（ａ）に示す表面側のリバーシブルキーボード５のキーレイアウトは、関数機能の中でも高学年（例えば高等学校等）で使用される機能を表したキーレイアウトの例である。これに対し、図２９（ｂ）に示す裏面側のリバーシブルキーボード５のキーレイアウトは、関数機能の中でも低学年（例えば、中学校等）で使用される機能を表したキーレイアウトの例である。
【００８１】
これらのキーレイアウトで、大きいキートップ部（符号５１２，５１４により示す）は、数字キーや加算除算キーなどのように、一般の計算機能を表した文字表示にしておき、表面側及び裏面側の両キートップ５１ａ，５１ｂの両方ともに同じ文字表示を行い、どちらを使用しても固定キーとして扱えるようにしている。
【００８２】
そして、小さいキートップ部（符号５１１，５１３により示す）は、高学年用と低学年用とで、関数機能を使用する内容が変わる機能に割り当てるようにしている。ただし、高学年と低学年とで関数機能を扱う種類が同じであれば、小さいキートップ部の中でも、表面側と裏面側とが同じ関数機能となる場合もあり得ることになる。
【００８３】
なお、キートップ部５１ａ，５１ｂの上部であって、キーキャビネット５ａ，５ｂの部分に関数機能の文字を表記しているのは、図示しないシフトキー等の押し下げによる機能拡張により、対応するキートップ部５１ａ，５１ｂの操作によりこの表記された関数機能の計算が行えることを示している。
【００８４】
図３１は、上記実施の形態１の情報処理装置の電気的構成を示すブロック図、及びリバーシブルキーボードの機能ブロック図である。
【００８５】
この情報処理装置は、キー入力制御手段であるＣＰＵ１００、キー入力部１０１、液晶パネル等からなる表示部１０２、リバーシブルキーボード５の装着状態を検出する検出手段１０３、ＲＯＭ１０４、ＲＡＭ１０５からなり、これらの回路ブロックが装置本体１に収納されている。
【００８６】
ＣＰＵ１００は、格納されているプログラムに基づいて、情報処理装置全体を制御する。
【００８７】
キー入力部１０１は、図１に示すように、固定部として設けられた関数キー３１及びカーソルキー３２と、キーボード装着用凹部１１の底面に設けられたキーゴム３３とから構成され、所定のキーを操作することにより、処理コマンドをＣＰＵ１００に入力する。
【００８８】
表示部１０２は、ＣＰＵ１００から伝えられる制御信号により、表示動作を実行する。
【００８９】
検出手段１０３は、上記したように、リバーシブルキーボード５の装着の有無を検出する第１検出スイッチ１５と、リバーシブルキーボード５の装着状態を検出する第２検出スイッチ１６とから構成され、検出した情報（オン、オフ情報）をＣＰＵ１００に入力する。
【００９０】
ＲＯＭ１０４は、情報処理装置の動作に必要なプログラム及び固定データを格納するとともに、固定部の関数キー３１及びカーソルキー３２、リバーシブルキーボード５の表面側及び裏面側の各関数キーやテンキー等の各キー信号パターンを格納している。
【００９１】
ＲＡＭ１０５は、情報処理装置の処理に必要なデータを一時的に記憶するものであり、キーの操作により入力された処理コマンドを格納している。また、検出手段１０３により検出された情報に基づき、現在のリバーシブルキーボード５の装着面のキー信号パターンもＲＯＭ１０４から転送されて格納される。
【００９２】
一方、リバーシブルキーボード５は、図２７及び図２８に示すように、表面側の関数キー５１１及びテンキー５１２と、裏面側の関数キー５１３及びテンキー５１４と、キーキャビネット５２ａ，５２ｂと、リバーシブルキーボード５の装着状態を検出する検出手段５０１とからなる。
【００９３】
検出手段５０１は、図１に示すように、リバーシブルキーボード５がキーボード装着用凹部１１に装着されたか否かを検出するための第１検出突起部５７と、リバーシブルキーボード５の表面側または裏面側のいずれの面を上に向けて装着されたかを検出するための第２検出突起部５８とから構成され、リバーシブルキーボード５が装着されたことにより、伝えられた情報は、情報処理装置の検出手段１０３を通じてＣＰＵ１００に入力される。
【００９４】
次に、上記構成の情報処理装置において、リバーシブルキーボードを装置本体に装着したときの実行処理、及びリバーシブルキーボードまたは電池の交換を行ったときの実行処理を、図３２及び図３３に示すフローチャートを参照して説明する。
【００９５】
（１）最初に、リバーシブルキーボード５を装置本体１に装着したときの処理について、図３２に示すフローチャートを参照して説明する。
【００９６】
まず、リバーシブルキーボード５をキーボード装着用凹部１１に装着する（ステップＳ１）。このときのリバーシブルキーボード５の装着は、図１０〜図１３の手順で行う。そして、電池を電池収納部２２，２２に収納して、電池蓋２３を下キャビネット１ｂに取り付け、電源をオンにする（ステップＳ２）。これにより、ＲＯＭ１０４内に格納されている電池蓋検出プログラムが起動し（ステップＳ３）、電池蓋検出スイッチ２５がオンであるかオフであるかを確認する（ステップＳ４）。
【００９７】
電池蓋検出スイッチ２５が図２０（ｂ）に示すようにオンであれば、ＲＯＭ１０４内に格納されているキーボード検出プログラムを起動する（ステップＳ５）。一方、電池蓋検出スイッチ２５が装着忘れや装着ミスなどでオフであれば、ステップＳ４からステップＳ１に戻り、再度やり直しすることになる。
【００９８】
キーボード検出プログラムを起動すると、次に、第１検出スイッチ１５がオンであるかオフであるかを確認する（ステップＳ６）。その結果、第１検出スイッチ１５がオンであれば、ＲＯＭ１０４内に格納されているキーボード装着方向検出プログラムを起動する（ステップＳ７）。一方、第１検出スイッチ１５が装着忘れや装着ミスなどでオフであれば、ステップＳ６からステップＳ１に戻り、再度やり直しすることになる。
【００９９】
キーボード装着方向検出プログラムを起動すると、次に、第２検出スイッチ１６がオンであるかオフであるかを確認する（ステップＳ８）。その結果、第２検出スイッチ１６がオフであれば、リバーシブルキーボード５がその表面側を上に向けて装着されていることになるので、表面側のキー信号パターン（オフ時のキー信号パターン）をＲＯＭ１０４から抽出する（ステップＳ９）。また、第２検出スイッチ１６がオンであれば、リバーシブルキーボード５がその裏面側を上に向けて装着されていることになるので、裏面側のキー信号パターン（オン時のキー信号パターン）をＲＯＭ１０４から抽出する（ステップＳ１０）。
【０１００】
そして、ステップＳ９またはステップＳ１０にて抽出したキー信号パターンをＲＡＭ１０５に転送し（ステップＳ１１）、リバーシブルキーボード５の装着状態に対応したキー信号パターンをＲＡＭ１０５に保存する（ステップＳ１２）。
【０１０１】
この後、装着されたリバーシブルキーボード５のキー入力があれば（ステップＳ１３でＹＥＳと判断されれば）、ＲＡＭ１０５内に格納されているキー信号パターンのキー信号を出力し（ステップＳ１４）、出力されたキー信号の処理を実行する（ステップＳ１５）。このようなステップＳ１４、ステップＳ１５の処理を、キー入力がある度に実行する。なお、ステップＳ１３でキー入力がなければ、待機状態で終了となる。
【０１０２】
（２）次に、リバーシブルキーボード５または電池の交換を行った場合の処理について、図３３に示すフローチャートを参照して説明する。
【０１０３】
まず、電池蓋２３を取り外すことにより、図２０（ａ）に示すように、電池蓋検出スイッチ２５がオフとなる（ステップＳ２１）。このとき、情報処理装置が計算中かどうかを確認する（ステップＳ２２）。その結果、計算途中であれば（ステップＳ２２でＹＥＳと判断されれば）、その内容をＲＡＭに保存し（ステップＳ２３）、その後、電源をオフとする（ステップＳ２４）。一方、計算途中でなければ（ステップＳ２２でＮＯと判断されれば）、ステップＳ２４ヘと動作を進め、そのまま電源をオフとする。
【０１０４】
その後、電池の交換か、リバーシブルキーボード５の交換かを確認するために、第１検出スイッチ１５のオン、オフ状態を確認する（ステップＳ２５）。その結果、リバーシブルキーボード５の交換であれば、第１検出スイッチ１５がオフ状態となるので、ステップＳ２３で保存していた計算途中の内容を消去し（ステップＳ２６）、キー信号パターンも消去する（ステップＳ２７）。そして、リバーシブルキーボード５の交換作業を終了する（ステップＳ２８）。
【０１０５】
この後、電源をオンすることになるが、その後のステップＳ２９〜ステップＳ４２は、上記したステップＳ２〜ステップＳ１５と同様の処理であるので、ここでは説明を省略する。
【０１０６】
一方、ステップＳ２５において、リバーシブルキーボード５の交換でない場合には、第１検出スイッチ１５はオン状態のままであるので、電池の交換を行うことになる（ステップＳ４３）。そして、電池を交換し、その後、リバーシブルキーボード５を交換する場合（ステップＳ４４でＹＥＳと判断された場合）には、ステップＳ２５に戻って、その後の処理を行う。一方、リバーシブルキーボード５を交換しない場合（ステップＳ４４でＮＯと判断された場合）には、電池交換だけであったので、その後に電源をオンにする（ステップＳ４５）。そして、ステップＳ２３において、計算途中の内容をＲＡＭ１０５に保存していた場合には、その計算途中の内容を復帰させて（ステップＳ４６）、ステップＳ４０に進み、次のキー入力を行うことになる。
【０１０７】
以上が、実施の形態１の情報処理装置における処理動作の説明である。
【０１０８】
［実施の形態２］
図３０は、本発明に係わるリバーシブルキーボードを備えた情報処理装置の実施の形態２を示しており、リバーシブルキーボードを取り外した状態の情報処理装置の外観斜視図である。ただし、図３０には、取り外した状態の各リバーシブルキーボード５Ａ，５Ｂが、表面側を上に向けた状態と、裏面側を上に向けた状態の２つの状態でそれぞれ示されている。
【０１０９】
装置本体１及びリバーシブルキーボード５Ａ，５Ｂの基本的な構成は、上記の図１ないし図２９を参照して説明した実施の形態１の装置本体１及びリバーシブルキーボード５と同様である。従って、実施の形態１の装置本体１及びリバーシブルキーボード５と同じ構成の部分については同符号を付すこととし、詳細な説明を省略する。
【０１１０】
違うところは、上記実施の形態１の情報処理装置が、単一のリバーシブルキーボード５の装着が可能であったのに対し、本実施の形態２の情報処理装置では、複数（この例では２つ）のリバーシブルキーボード５Ａ，５Ｂの装着が可能となっている点である。そのため、実施の形態１では必要でなかったリバーシブルキーボード５Ａ，５Ｂの種類の検出が、本実施の形態２では必要となり、そのための構成を追加した点が実施の形態１とは異なっている。
【０１１１】
すなわち、本実施の形態２では、装置本体１のキーボード装着用凹部１１の前端面１１ａに、第２検出スイッチ１６に隣接して、リバーシブルキーボード５の種類を検出する第３検出スイッチ１７が追加されている。
【０１１２】
一方、１つ目のリバーシブルキーボード５Ａは、上記実施の形態１のリバーシブルキーボード５と全く同じ構成であるが、追加された２つ目のリバーシブルキーボード５Ｂは、その前端面５Ｂａに、キーボードの種類を検出するための第３検出突起部７０と第４検出突起部７１とが追加されている。第３検出突起部７０は、第２検出突起部５８と同じ側に隣接して設けられ、第４検出突起部７１は、第１検出突起部５７を挟んで第３検出突起部７０とは反対側の対称位置に設けられている。
【０１１３】
すなわち、第３検出突起部７０と第４検出突起部７１とは、左右方向の対称位置に設けられていることから、リバーシブルキーボード５Ｂをキーボード装着用凹部１１に装着するとき、リバーシブルキーボード５Ｂの表面側が上であっても、裏面側が上であっても、第３検出突起部７０または第４検出突起部７１のいずれかが第３検出スイッチ１７を押し込んでオン状態とする。
【０１１４】
一方、リバーシブルキーボード５Ａには、第３検出スイッチ１７をオン状態とする突起部（第３検出突起部７０及び第４検出突起部７１）が設けられていないので、リバーシブルキーボード５Ａをキーボード装着用凹部１１に装着しても、第３検出スイッチ１７はオフ状態のままである。これにより、情報処理装置は、リバーシブルキーボードの種類、すなわち、リバーシブルキーボード５Ａが装着されているのか、リバーシブルキーボード５Ｂが装着されているのかを検出することが可能となる。
【０１１５】
図３４は、上記実施の形態２の情報処理装置の電気的構成を示すブロック図、及びリバーシブルキーボードの機能ブロック図である。
【０１１６】
本実施の形態２の情報処理装置は、図３１に示す実施の形態１の情報処理装置に、第３検出スイッチ１７と、第３検出突起部７０及び第４検出突起部７１とが追加された構成となっている。そのため、実施の形態１の情報処理装置の構成と同じ構成については同符号を付すこととし、詳細な説明を省略する。ただし、ＲＯＭ１０４には、１つ目のリバーシブルキーボード５Ａの表面側及び裏面側のキー信号パターンの他に、２つ目のリバーシブルキーボード５Ｂの表面側及び裏面側のキー信号パターンも格納されている。
【０１１７】
次に、上記構成の情報処理装置における処理動作について説明する。
【０１１８】
実施の形態２における処理動作と、実施の形態１における処理動作との違いは、リバーシブルキーボードの装着時に、第３検出スイッチ１７のオン、オフ状態を検出することにより、装着されているリバーシブルキーボードの種類も検出する点であり、その他の処理動作は、実施の形態１における処理動作と同様である。従って、ここでは異なる処理動作についてのみ説明する。
【０１１９】
また、上記実施の形態１では、（１）リバーシブルキーボードを装置本体に装着したときの処理（図３２参照）、（２）リバーシブルキーボードまたは電池の交換を行った場合の処理（図３３参照）の２つの処理についてそれぞれ説明しているが、本実施の形態２における処理で異なることろは、上記（１）、（２）の処理に共通に適用できるため、ここでは、上記（１）の処理に適用した場合について、図３５に示す要部のフローチャートを参照して説明する。
【０１２０】
まず、リバーシブルキーボード５Ａまたは５Ｂを装置本体１に装着したときの処理について、図３２に示すステップＳ６から説明する。
【０１２１】
すなわち、図３２に示すステップＳ６において、第１検出スイッチ１５がオンである場合には、次に、第３検出スイッチ１７のオン、オフ状態を確認して、装着されているリバーシブルキーボードの種類を確認する（ステップＳ５１）。その結果、第３検出スイッチ１７がオン状態である場合には、装着されているリバーシブルキーボードが２つ目のリバーシブルキーボード５Ｂであると判断する（ステップＳ５３）。一方、第３検出スイッチ１７がオフ状態である場合には、装着されているリバーシブルキーボードが１つ目のリバーシブルキーボード５Ａであると判断する（ステップＳ５２）。
【０１２２】
そして、ステップＳ５４へと動作を進め、ＲＯＭ１０４内に格納されているキーボード装着方向検出プログラムを起動する。
【０１２３】
キーボード装着方向検出プログラムを起動すると、次に、第２検出スイッチ１６がオンであるかオフであるかを確認する（ステップＳ５５）。その結果、第２検出スイッチ１６がオフであれば、リバーシブルキーボードがその表面側を上に向けて装着されていることになるので、先のステップＳ５１で検出した種類のリバーシブルキーボード５Ａまたは５Ｂの表面側のキー信号パターン（オフ時のキー信号パターン）をＲＯＭ１０４から抽出する（ステップＳ５６）。また、第２検出スイッチ１６がオンであれば、リバーシブルキーボードがその裏面側を上に向けて装着されていることになるので、先のステップＳ５１で検出した種類のリバーシブルキーボード５Ａまたは５Ｂの裏面側のキー信号パターン（オン時のキー信号パターン）をＲＯＭ１０４から抽出する（ステップＳ５７）。その後の処理は、図３２に示すステップＳ１１以降の処理となる。
【０１２４】
一方、リバーシブルキーボード５Ａ，５Ｂまたは電池の交換を行った場合の処理（（２）の処理に適用した場合）については、図３３に示すステップＳ３３において、第１検出スイッチ１５がオンである場合に、上記と同様、ステップＳ５１の処理が開始される。そして、ステップＳ５６またはステップＳ５７の処理を終了すると、その後の処理は、図３３に示すステップＳ３８以降の処理となる。
【０１２５】
【発明の効果】
本発明のリバーシブルキーボードは、キースイッチ部を押し下げするキートップ部と、このキートップ部を収納保持する開口部を有するキーキャビネットとからなり、前記開口部は、キーキャビネットの表面側及び裏面側に貫通して形成されており、この開口部に、表面側に突出する表面側キートップ部と裏面側に突出する裏面側キートップ部とが上下動可能に収納保持された構成となっている。これにより、内部に電気的な構成を持たない簡単な構造によって、表裏両面に異なるキー機能を搭載したリバーシブルキーボードを実現することができる。また、構造が簡易であるため、小型軽量化、製造原価の低減を図ることができる。
【０１２６】
また、表面側キートップ部と裏面側キートップ部とが樹脂等により一体的に形成されていてもよい。これにより、部品点数を削減することができるとともに、リバーシブルキーボードの製造も簡単なものとなる。
【０１２７】
また、表面側キートップ部と裏面側キートップ部とは、個別に形成されていてもよい。この場合には、各キートップ部を薄く形成することができるので、リバーシブルキーボードの軽量化を図ることができる。
【０１２８】
また、表面側キートップ部と裏面側キートップ部とは、その外観が異なるように形成してもよい。このように、表面側キートップ部と裏面側キートップ部とで外観を異ならせることにより、リバーシブルキーボードのどちらの面を上にして装着されているかが容易に分かるので、人為的な操作ミスを低減することができる。
【０１２９】
また、本発明の情報処理装置は、上記構成のリバーシブルキーボードの装着の有無を検出する第１検出手段と、リバーシブルキーボードのどちらの面を上に向けて装着されたかを検出する第２検出手段と、第２検出手段の検出結果に基づき、装着されたリバーシブルキーボードの装着方向に応じてキー入力による制御機能を切り替えるキー入力制御手段とを備えた構成としている。このように、着脱可能なリバーシブルキーボードの表面側と裏面側とを使い分けることにより、キー入力機能を拡張した情報処理装置を提供することができる。
【０１３０】
この場合、第１検出手段及び第２検出手段として、プッシュスイッチまたはキースイッチを用いることが可能であり、このようなスイッチのオン、オフ状態によって、リバーシブルキーボードの装着の有無や装着面を確実に検出することができる。
【０１３１】
また、本発明の情報処理装置によれば、このようなリバーシブルキーボードを２種類以上用意するとともに、これらリバーシブルキーボードの種類を検出する第３検出手段を備え、キー入力制御手段は、第２検出手段及び第３検出手段の検出結果に基づき、装着されたリバーシブルキーボードの種類と装着方向とに応じてキー入力による制御機能を切り替える構成としている。このように、リバーシブルキーボードを複数用意することで、より多様なキー入力制御を行うことが可能となる。
【０１３２】
この場合、第３検出手段として、プッシュスイッチまたはキースイッチを用いることが可能である。すなわち、このスイッチのオン、オフ状態によって、リバーシブルキーボードの種類を確実に検出することができる。
【０１３３】
また、キースイッチ部に装着されたリバーシブルキーボードをロックするロック機構部が装置本体に設けられているとともに、リバーシブルキーボードのロックを解除する解除ボタンがロック機構部に設けられた構成としている。このように、ロック機構部を設けることによって、キーボードを操作中に、リバーシブルキーボードが装置本体から不測に外れるといった事態を確実に防止することができる。また、リバーシブルキーボードの操作面を入れ替える場合には、解除ボタンを操作することによってロックを解除することができる。
【０１３４】
この場合、解除ボタンは、装置本体の裏面側に設けられており、かつ、装置本体の裏面側に装着された蓋体によって被覆されている。これにより、キーボードを操作中に、誤って解除ボタンに触れる心配がないので、リバーシブルキーボードが装置本体から不測に外れてしまうといった事態も発生しない。
【０１３５】
また、本発明の情報処理装置によれば、蓋体が装置本体から取り外された場合に電源をオフする電源オフ制御手段を備えた構成としている。また、リバーシブルキーボードがキースイッチ部から取り外された場合に電源をオフする電源オフ制御手段を備えた構成としている。これにより、リバーシブルキーボードを着脱するときに、フリーズ状態等の異常な状態を引き起こさず、安全にリバーシブルキーボードの着脱や電池の効果等を行うことができる。
【図面の簡単な説明】
【図１】本発明に係わるリバーシブルキーボードを備えた情報処理装置の実施の形態１を示しており、リバーシブルキーボードを取り外した状態の情報処理装置の外観斜視図である。
【図２】リバーシブルキーボードを装着した状態の情報処理装置の外観斜視図である。
【図３】リバーシブルキーボードを取り外した状態の平面図である。
【図４】図３に示す装置本体のＡ−Ａ線概略断面図である。
【図５】図３に示すリバーシブルキーボード５のＢ−Ｂ線概略断面図である。
【図６】キーボード装着用凹部を一部拡大した、ロック機構部の構造を示す平面図である。
【図７】キーボード装着用凹部の底面を一部拡大した、ロック機構部の構造を示す底面図である。
【図８】図６に示すＣ−Ｃ線概略断面図である。
【図９】（ａ），（ｂ）は図６に示すＤ−Ｄ線概略断面図である。
【図１０】リバーシブルキーボードをキーボード装着用凹部に装着するときの動作を示す側面より見た概略断面図である。
【図１１】リバーシブルキーボードをキーボード装着用凹部に装着するときの動作を示す側面より見た概略断面図である。
【図１２】リバーシブルキーボードをキーボード装着用凹部に装着するときの動作を示す側面より見た概略断面図である。
【図１３】リバーシブルキーボードをキーボード装着用凹部に装着するときの動作を示す側面より見た概略断面図である。
【図１４】リバーシブルキーボードがキーボード装着用凹部に装着されたときの、ロック用爪とロック用凹部との係合状態を拡大して示す概略断面図である。
【図１５】装置本体及びリバーシブルキーボードの他の実施例であって、リバーシブルキーボードを取り外した状態の情報処理装置の外観斜視図である。
【図１６】図１５に示すＥ−Ｅ線概略断面図である。
【図１７】リバーシブルキーボードを表面側を上に向けて装着した状態を示す概略断面図である。
【図１８】リバーシブルキーボードを裏面側を上に向けて装着した状態を示す概略断面図である。
【図１９】電池蓋を取り外した状態の装置本体の底面図である。
【図２０】（ａ）は図１９のＦ−Ｆ線概略断面図、（ｂ）は電池蓋を装着した状態の概略断面図である。
【図２１】ロック機構部周辺の構造を示す一部拡大した概略断面図である。
【図２２】リバーシブルキーボードのキートップ部の他の実施例を示す概略断面図である。
【図２３】リバーシブルキーボードのキートップ部のさらに他の実施例を示す概略断面図である。
【図２４】図２３に示すリバーシブルキーボードのキートップ部の斜視図である。
【図２５】図２３に示すキートップ部の変形例を示しており、リバーシブルキーボードの表面側を上に向けた状態を示す概略断面図である。
【図２６】図２３に示すキートップ部の変形例を示しており、リバーシブルキーボードの裏面側を上に向けた状態を示す概略断面図である。
【図２７】装置本体に、キートップ部の外観の異なるリバーシブルキーボードを、表面側を上に向けて装着した状態を示す平面図である。
【図２８】装置本体に、キートップ部の外観の異なるリバーシブルキーボードを、裏面側を上に向けて装着した状態を示す平面図である。
【図２９】リバーシブルキーボードの各キートップ部にキー文字を記入した具体例を示す説明図であり、（ａ）は表面側、（ｂ）は裏面側を示している。
【図３０】本発明に係わるリバーシブルキーボードを備えた情報処理装置の実施の形態２を示しており、リバーシブルキーボードを取り外した状態の情報処理装置の外観斜視図である。
【図３１】実施の形態１の情報処理装置の電気的構成を示すブロック図である。
【図３２】実施の形態１の情報処理装置において、リバーシブルキーボードを装置本体に装着したときの処理動作を説明するためのフローチャートである。
【図３３】実施の形態１の情報処理装置において、リバーシブルキーボードまたは電池の交換を行った場合の処理動作を説明するためのフローチャートである。
【図３４】実施の形態２の情報処理装置の電気的構成を示すブロック図である。
【図３５】実施の形態２の情報処理装置において、リバーシブルキーボードを装置本体に装着したときの処理動作、及びリバーシブルキーボードまたは電池の交換を行った場合の処理動作の要部のみを説明するためのフローチャートである。
【符号の説明】
１  装置本体
２  表示部
３  キー入力部
５  リバーシブルキーボード
６  ロック機構部
１１  キーボード装着用凹部
１２  第１開口部
１３  第２開口部
１４  第３開口部
１５，１５ａ  第１検出スイッチ
１６，１６ａ  第２検出スイッチ
１７  第３検出スイッチ
２２  電池収納部
２３  電池蓋
３１  関数キー
３２  カーソルキー
３３  キーゴム
５１ａ  表面側のキートップ部
５１ｂ  裏面側のキートップ部
５２ａ  表面側のキーキャビネット
５２ｂ  裏面側のキーキャビネット
５３ａ  表面側の開口部
５３ｂ  裏面側の開口部
５４  つば部
５５  リブ片
５６  凹部
５７  第１検出突起部
５８  第２検出突起部
５９  ロック用凹部
６１  ロック本体部
６２  ロック用爪部
６３  スプリング用凹部
６４  ロック解除用ノブ
７０  第３検出突起部
７１  第４検出突起部
【図１】
0003828399.tif 000002
【図２】
0003828399.tif 000003
【図３】
0003828399.tif 000004
【図４】
0003828399.tif 000005
【図５】
0003828399.tif 000006
【図６】
0003828399.tif 000007
【図７】
0003828399.tif 000008
【図８】
0003828399.tif 000009
【図９】
0003828399.tif 000010
【図１０】
0003828399.tif 000011
【図１１】
0003828399.tif 000012
【図１２】
0003828399.tif 000013
【図１３】
0003828399.tif 000014
【図１４】
0003828399.tif 000015
【図１５】
0003828399.tif 000016
【図１６】
0003828399.tif 000017
【図１７】
0003828399.tif 000018
【図１８】
0003828399.tif 000019
【図１９】
0003828399.tif 000020
【図２０】
0003828399.tif 000021
【図２１】
0003828399.tif 000022
【図２２】
0003828399.tif 000023
【図２３】
0003828399.tif 000024
【図２４】
0003828399.tif 000025
【図２５】
0003828399.tif 000026
【図２６】
0003828399.tif 000027
【図２７】
0003828399.tif 000028
【図２８】
0003828399.tif 000029
【図２９】
0003828399.tif 000030
【図３０】
0003828399.tif 000031
【図３１】
0003828399.tif 000032
【図３２】
0003828399.tif 000033
【図３３】
0003828399.tif 000034
【図３４】
0003828399.tif 000035
【図３５】
0003828399.tif 000036